(57)【要約】【課題】保持体による表示パネルの保持力を大きくして、保持体に対する表示パネルの面方向の位置ずれを防止することができる表示装置を提供する。【解決手段】画像を表示する液晶パネル１と、液晶パネル１の周縁部を一面の側から保持するベゼル２と、液晶パネル１の周縁部を他面の側から保持するパネル支持フレーム３及びランプホルダとを備える表示装置において、ベゼル２に、パネル支持フレーム３及びランプホルダに向けて突出する凸部２４が前記周縁部の一面又は他面に対向する位置に設けてある。ベゼル２と、パネル支持フレーム３及びランプホルダとにより液晶パネル１を挟持したときに、凸部２４に対向する位置の液晶パネル１の周縁部に作用する接触圧力を大きくすることができるから、保持体による液晶パネル１の保持力を大きくして、液晶パネル１を保持する保持体に対する液晶パネル１の面方向の位置ずれを防止することができる。【選択図】図３
2011013506.tif 000002
【特許請求の範囲】
【請求項１】
画像を表示する表示パネルと、該表示パネルの周縁部を一面の側から保持する第１保持体と、前記表示パネルの周縁部を他面の側から保持する第２保持体とを備える表示装置において、
前記第１保持体及び第２保持体の少なくとも一方に、他方に向けて突出する凸部が前記周縁部の一面又は他面に対向する位置に設けてあることを特徴とする表示装置。
【請求項２】
前記第１保持体及び第２保持体は、前記表示パネルの周縁に沿って設けられた複数の締付部材により締付けられて前記表示パネルを挟持するように構成してあり、
前記凸部は、前記複数の締付部材間に設けてあることを特徴とする請求項１に記載の表示装置。
【請求項３】
前記第１保持体及び第２保持体は、前記表示パネルの周縁に沿って設けられた複数の締付部材により締付けられて前記表示パネルを挟持するように構成してあり、
前記凸部は、前記締付部材の周りに設けてあることを特徴とする請求項１又は２に記載の表示装置。
【請求項４】
前記凸部は、前記第１保持体又は第２保持体に塑性加工により形成したものであることを特徴とする請求項１から３の何れか一つに記載の表示装置。
【請求項５】
前記凸部及び表示パネル間に可撓性部材が介装してあることを特徴とする請求項１から４の何れか一つに記載の表示装置。
【発明の詳細な説明】
【技術分野】
【０００１】
本発明は、２つの保持体により表示パネルの周縁部を一面及び他面から保持してある表示装置に関する。
【背景技術】
【０００２】
液晶表示装置等の表示装置においては、画像を表示する表示パネルを外部衝撃から保護し、また外部衝撃により表示パネルの位置がずれることを防止すること等を目的として、表示パネルの周縁部を２つの保持体により挟持してある。このような表示装置は、一般に、この２つの保持体を、表示パネルの周縁部を表示パネルの一面の側から保持する第１保持体と、他面の側から保持する第２保持体とから構成し、これら２つの保持体をネジ等の締付部材により締付けて表示パネルへの接触圧力を得ることにより、表示パネルを挟持するように構成してある（例えば、特許文献１参照）。
【０００３】
特許文献１に開示された液晶テレビジョンは、液晶パネルの周縁部を前側から保持するベゼルと、該ベゼルの前側に設けられ、前記液晶パネルの周縁部を前側から覆うフロントキャビネットと、液晶パネルの後側に設けられ、液晶パネルを後側から保持する液晶モジュールとを備えている。該液晶モジュールの厚み方向の側面の中途位置から突出した被固定部位のネジ穴を挿通させたネジ（締付部材）をフロントキャビネットの前側壁の内面に設けられたボスに螺合して締付けることにより、フロントキャビネット及び液晶モジュールにより表示パネルが挟持される。
【０００４】
この液晶テレビジョンのフロントキャビネットの前側壁の内面には、ベゼルの液晶パネルの前面の上下左右の周縁部に当接する面であるパネル面補強部に当接するリブがボスに一体的に設けてある。また、ベゼルのパネル面補強部には、夫々通しで、液晶パネルに向けて突設させて絞りが形成してある。これにより、フロントキャビネットのフロント面が変形して、リブがパネル面補強部を押圧した場合においても、パネル面補強部自体が高い強度を持つためにベゼルの変形が抑制され、内側の液晶パネルに不要な負荷が伝わりにくくなる。
【先行技術文献】
【特許文献】
【０００５】
【特許文献１】実用新案登録第３１１５１７５号公報
【発明の概要】
【発明が解決しようとする課題】
【０００６】
しかしながら、絞りを設けることによるベゼルの補強には限界があり、締付部材間ピッチが大きくなると、ベゼルが若干変形して、ベゼルのパネル面補強部を平面に形成した場合と同様に、ベゼルのパネル面補強部に夫々通しで設けてある絞りが液晶パネルの周縁部に不均衡に接触する虞がある。この結果、液晶パネルに接触する接触圧力が液晶パネルの周縁部の位置によって不均衡となり、接触圧力が不足して、液晶パネルにベゼル及び液晶モジュールに対して面方向の位置ずれが発生する虞がある。
【０００７】
本発明は斯かる事情に鑑みてなされたものであり、保持体による表示パネルの保持力を大きくして、表示パネルを保持する保持体に対する表示パネルの面方向の位置ずれを防止することができる表示装置を提供することを目的とする。
【課題を解決するための手段】
【０００８】
本発明に係る表示装置は、画像を表示する表示パネルと、該表示パネルの周縁部を一面の側から保持する第１保持体と、前記表示パネルの周縁部を他面の側から保持する第２保持体とを備える表示装置において、前記第１保持体及び第２保持体の少なくとも一方に、他方に向けて突出する凸部が前記周縁部の一面又は他面に対向する位置に設けてあることを特徴とする。
【０００９】
本発明にあっては、表示パネルの周縁部を一面の側から保持する第１保持体と、他面の側から保持する第２保持体とを備え、第１保持体及び第２保持体の少なくとも一方に他方に向けて突出する凸部を表示パネルの周縁部の一面又は他面に対向する位置に設けてある。凸部を設けることにより、第１保持体及び第２保持体により表示パネルを挟持したときに、凸部に対向する位置の表示パネルの周縁部に作用する接触圧力を大きくすることができるから、第１保持体及び第２保持体による表示パネルの保持力を大きくして、表示パネルを保持する第１保持体及び第２保持体に対する表示パネルの面方向の位置ずれを防止することができる。
【００１０】
本発明に係る表示装置は、前記第１保持体及び第２保持体は、前記表示パネルの周縁に沿って設けられた複数の締付部材により締付けられて前記表示パネルを挟持するように構成してあり、前記凸部は、前記複数の締付部材間に設けてあることが好ましい。
【００１１】
本発明にあっては、表示パネルの周縁に沿って設けられ、前記第１保持体及び第２保持体を締付ける複数の締付部材間に凸部が設けてある。締付部材により第１保持体及び第２保持体を締付けたとき、締付部材間に設けられた凸部により表示パネルに接触圧力が作用し、凸部に対向する位置の表示パネルの周縁部に作用する接触圧力を大きくすることができる。この結果、表示パネルに作用する接触圧力が締付部材近傍に比較して小さくなる締付部材間における接触圧力を大きくすることができ、締付部材近傍に加えて、締付部材間において大きな接触圧力を作用させることができるから、第１保持体及び第２保持体による表示パネルの保持力を大きくして、表示パネルを保持する第１保持体及び第２保持体に対する表示パネルの面方向の位置ずれを更に防止することができる。
【００１２】
本発明に係る表示装置は、前記第１保持体及び第２保持体は、前記表示パネルの周縁に沿って設けられた複数の締付部材により締付けられて前記表示パネルを挟持するように構成してあり、前記凸部は、前記締付部材の周りに設けてあることが好ましい。
【００１３】
本発明にあっては、表示パネルの周縁に沿って設けられ、前記第１保持体及び第２保持体を締付ける複数の締付部材の周りに凸部が設けてある。締付部材により第１保持体及び第２保持体を締付けたとき、締付部材の周りに設けられた凸部により挟持パネルに大きな接触圧力が作用し、締付部材の近傍の表示パネルの周縁部に作用する接触圧力を更に大きくすることができる。この結果、締付部材の近傍における第１保持体及び第２保持体による表示パネルの保持力を更に大きくして、表示パネルを保持する第１保持体及び第２保持体に対する表示パネルの面方向の位置ずれを防止することができる。また、複数の締付部材間に加えて、締付部材の周りに凸部を設けることによって、表示パネルの周縁部の締付部材近傍及び締付部材間において大きな接触圧力を作用させることができるから、第１保持体及び第２保持体による表示パネルの保持力を更に大きくすると共に、表示パネルに周縁部にバランス良く作用させることができ、表示パネルを保持する第１保持体及び第２保持体に対する表示パネルの面方向の位置ずれを更に防止することができる。
【００１４】
本発明に係る表示装置は、前記凸部は、前記第１保持体又は第２保持体に塑性加工により形成したものであることが好ましい。
【００１５】
本発明にあっては、第１保持体又は第２保持体に凸部を塑性加工により形成しているから、部品点数を増加することなく、容易な加工にて凸部を設けることができる。
【００１６】
本発明に係る表示装置は、前記凸部及び表示パネル間に可撓性部材が介装してあることが好ましい。
【００１７】
本発明にあっては、凸部及び表示パネル間に可撓性部材が介装してある。凸部によって撓められた可撓性部材の弾性復元力により表示パネルを押圧するから、表示パネルに必要以上の負荷が伝達されることを防ぎつつ、表示パネルの面方向の位置ずれを防止することができる。
【発明の効果】
【００１８】
本発明によれば、保持体による表示パネルの保持力を大きくして、表示パネルを保持する保持体に対する表示パネルの面方向の位置ずれを防止することができる。
【図面の簡単な説明】
【００１９】
【図１】本発明に係る表示装置の模式的外観斜視図である。
【図２】図１におけるII−II線による模式的断面図である。
【図３】図１における III−III 線による模式的断面図である。
【図４】ベゼルの凸部近傍の部分拡大図である。
【図５】弾性体の状態を示す説明図である。
【図６】凸部の他の例を示す図である。
【図７】凸部の他の例を示す図である。
【図８】凸部の他の例を示す図である。
【図９】凸部の他の例を示す図である。
【発明を実施するための形態】
【００２０】
以下、本発明をその実施の形態を示す図面に基づいて、表示装置として、液晶表示装置、所謂液晶テレビジョンを例にして詳述する。図１は、本発明に係る表示装置の模式的外観斜視図である。図２は、図１におけるII−II線による模式的断面図である。図３は、図１における III−III 線による模式的断面図である。
【００２１】
図中１は、画像を表示する表示面１ａをその前面に有する表示パネルである液晶パネルである。液晶パネル１は略直方体をなし、画像表示部を構成している。液晶パネル１の上縁部前面及び下縁部前面には、電子部品が実装されている複数のフレキシブルプリント基板の一端が前記上縁部及び下縁部の長手方向（液晶パネル１の周方向）に離隔して接続されている。
【００２２】
液晶パネル１の前側（一面の側）には、液晶パネル１の周縁部を前側（一面の側）から保持する第１保持体としてのベゼル２が設けてある。ベゼル２は、液晶パネル１の周縁部前面に対向する矩形枠状の挟持板部２１と、該挟持板部２１の外縁から後方に延設され、延設端から外側に挟持板部２１に平行をなして設けられた矩形枠部２２と、該矩形枠部２２の外縁から略直交して後方に延びる周壁２３とを備えている。ベゼル２は、挟持板部２１が液晶パネル１の表示面１ａの周縁部に対向するように設けてある。ベゼル２の矩形枠部２２には、後述する第２保持体を構成するパネル支持フレーム３及びランプホルダ４の雌螺子部に整合させて複数のネジ穴２２ａが設けてある。なお、本実施の形態に係るベゼル２は、金属板をプレス成形してなる。このベゼル２の挟持板部２１の内縁側後面には、略全周に亘って、液晶パネル１の周縁部を弾性的に受止める可撓性部材である弾性体１５が設けてある。
【００２３】
液晶パネル１の後側（他面の側）には、液晶パネル１の周縁部を後側（他面の側）から保持する第２保持体としてのパネル支持フレーム３と、ランプホルダ４とが設けてある。
【００２４】
パネル支持フレーム３は、液晶パネル１の正面上側部及び正面下側部に沿って、図３に示すように、液晶パネル１の周縁部を保持するように設けてある。パネル支持フレーム３は、液晶パネル１の周縁部後面に対向する矩形板状の挟持板部３１と、該挟持板部３１の外縁から後方に延設され、延設端から外側に挟持板部３１に平行をなして設けられた矩形縁部と、該矩形縁部の外縁から略直交して後方に延びる側壁３２とを備えている。パネル支持フレーム３の矩形縁部には、液晶パネル１の周縁方向に適長離隔してブロック状の補強部３３が設けてあり、補強部３３には、前側に開口を有する有底円筒の内側にネジ溝が形成されてなる雌螺子部３３ａが設けてある。また、パネル支持フレーム３の側壁３２には、前記フレキシブルプリント基板夫々の他端に接続され、液晶パネル１を駆動するプリント回路基板が取付けてある。プリント回路基板はベゼル２を介して接地してある。なお、パネル支持フレーム３は合成樹脂材を成形してなる。
【００２５】
パネル支持フレーム３は、該パネル支持フレーム３を、挟持板部３１が液晶パネル１の後面の周縁部に対向するようにベゼル２に内嵌し、ベゼル２のネジ穴２２ａに締付部材であるネジＳ１を挿通して、パネル支持フレーム３の雌螺子部３３ａに螺合することにより、ベゼル２と一体化してある。このパネル支持フレーム３の挟持板部３１の前面には、液晶パネル１の周縁部を弾性的に受止める可撓性部材である弾性体１６が設けてある。
【００２６】
ランプホルダ４は、液晶パネル１の正面左右側部に沿って、図２に示すように、液晶パネル１の周縁部を保持するように設けてある。ランプホルダ４は、液晶パネル１の周縁部後面に対向する矩形板状の挟持板部４１と、該挟持板部４１の後方に延設され、バックライト部５のランプ５１を保持するソケット部４２とを備えている。
【００２７】
バックライト部５は、一面開口の筐体形状を有する金属製のバックライトシャーシ５２と、該バックライトシャーシ５２の内部に収容されたランプ５１等を備えている。バックライト部５は、バックライトシャーシ５２を、第２保持体であるパネル支持フレーム３及びランプホルダ４に後側から内嵌させて一体化してある。なお、バックライト部５のランプ５１と液晶パネル１の間には、光学シート６が配してある。
【００２８】
ランプホルダ４は、該ランプホルダ４を、挟持板部１１が液晶パネル１の後面の周縁部に対向するようにベゼル２に内嵌し、ベゼル２のネジ穴に締付部材であるネジを挿通して、ランプホルダ４の雌螺子部に螺合することにより、ベゼル２と一体化してある。このランプホルダ４の挟持板部４１の前面には、液晶パネル１の周縁部を弾性的に受止める可撓性部材である弾性体１６が設けてある。
【００２９】
以上の構成により、液晶パネル１は、弾性体１５，１６を介して第１保持体であるベゼル２と、第２保持体であるパネル支持フレーム３及びランプホルダ４により挟持されて保持されることになる。
【００３０】
このようにパネル支持フレーム３及びランプホルダ４に締付部材であるネジにより一体化されるベゼル２の挟持板部２１には、図２及び図３に示すように、パネル支持フレーム３及びランプホルダ４の挟持板部３１，４１に向けて、換言すると液晶パネル１の周縁部の一面に向けて突設された凸部２４が設けてある。なお、締付部材であるネジは、液晶パネル１の周縁に沿って適長離隔して複数設けてある。本実施の形態においては、凸部２４は、複数のネジ間に設けてある。
【００３１】
図４は、ベゼル２の凸部２４近傍の部分拡大図である。図４（ａ）は凸部２４近傍の模式的外観図であり、図４（ｂ）は図４（ａ）のIV−IV線による模式的断面図であり、図４（ｃ）は凸部２４近傍の模式的平面図である。凸部２４は、図４に示すように、複数のネジＳ１，Ｓ１の間に、挟持板部２１の一部を絞り加工により板厚方向に一側に（液晶パネル１の側に）突出させてなる。凸部２４は、挟持板部２１の内縁端から外縁端に亘って、液晶パネル１の周縁に沿った方向の適長に亘って形成してある。なお、凸部２４の突設高さは、矩形枠部２２の前面よりも前側に位置するようにしてあり、例えば、０．４〜０．５（ｍｍ）程度である。なお、凸部２４は、絞り加工により形成してあるが、これに限定されない。塑性加工により形成されることが望ましい。
【００３２】
このベゼル２の挟持板部２１の内縁側後面（凸部２４が突設された側の面）には、前述したように弾性体１５が設けてある。図５は、弾性体１５の状態を示す説明図である。表示装置組込前においては、図５（ａ）に示すように、弾性体１５が凸部２４の形状に応じて該凸部２４と同一方向に盛り上がっている。表示装置組込後は、ベゼル２と、パネル支持フレーム３及びランプホルダ４とを締付部材であるネジにより締付けるから、弾性体１５がネジの締付力により圧縮されて撓むことになる（図５（ｂ）参照）。そして、この組込状態においては、図５（ｂ）中に矢符にて示すように、撓みに応じた弾性復元力が液晶パネル１に作用する。即ち、凸部２４に対応する部分において大きな力が液晶パネル１に作用する。
【００３３】
このベゼル２の前側には、図２に示すように、該ベゼル２を前側から取囲む樹脂製のフロントキャビネット７が設けてある。フロントキャビネット７は、長方形状の窓を有する矩形枠部７１と、該矩形枠部７１の外縁から略直交して後方に延びる周壁７２とを備えている。このフロントキャビネット７の周壁７２には、バックライト部５の後側を被覆するバックキャビネット８が嵌入されて一体化してある。
【００３４】
以上のように構成された本実施の形態に係る表示装置においては、第１保持体であるベゼル２の液晶パネル１の周縁部に対向する位置に、第２保持体であるパネル支持フレーム３及びランプホルダ４に向けて突設された凸部２４を設けている。凸部２４を設けることにより、ベゼル２と、パネル支持フレーム３及びランプホルダ４とにより液晶パネル１を挟持したときに、凸部２４に対向する位置の液晶パネル１の周縁部に作用する接触圧力を大きくすることができるから、第１保持体及び第２保持体による液晶パネル１の保持力を大きくして、液晶パネル１を保持する第１保持体及び第２保持体に対する液晶パネル１の面方向の位置ずれを防止することができる。
【００３５】
また、第１保持体及び第２保持体を締付ける複数のネジ間に凸部２４を設けているから、液晶パネル１に作用する接触圧力がネジ近傍に比較して小さくなるネジ間における接触圧力を大きくすることができ、ネジ近傍に加えて、ネジ間において大きな接触圧力を作用させることができるから、第１保持体及び第２保持体による液晶パネル１の保持力を大きくして液晶パネル１を保持する第１保持体及び第２保持体に対する液晶パネル１の面方向の位置ずれを更に防止することができる。
【００３６】
そして、凸部２４及び液晶パネル１間に可撓性部材である弾性体１５が介装してあり、凸部２４によって撓められた弾性体１５の弾性復元力により液晶パネル１を押圧するから、液晶パネル１に必要以上の負荷が伝達されることを防ぎつつ、液晶パネル１の面方向の位置ずれを防止することができる。
【００３７】
なお、本実施の形態においては、図４に示すように、挟持板部２１の内縁端から外縁端に亘って、液晶パネル１の周縁に沿った方向の適長に亘って凸部２４を形成しているが、これに限定されず、凸部は板厚方向に一側に（液晶パネル１の側に）突設させてあればよい。
【００３８】
図６は、凸部の他の例を示す図である。凸部２５は、図４及び図５に示す凸部２４とは異なり、挟持板部２１との連設部の一方を切欠いてあり、凸部２５の突設幅（液晶パネル１の周縁に沿った方向の長さ）は、凸部２４の突設幅の略半分である。このように凸部を形成することにより、前述した効果が得られる。また、挟持板部２１との連設部の一方を切欠いてあるから、凸部２５を変形させるために必要となる力が小さくなり、加工が容易となる。
【００３９】
図７は、凸部の他の例を示す図である。図７（ａ）はベゼル２の凸部２６近傍の模式的外観図であり、図７（ｂ）は、図７（ａ）の VII−VII 線による模式的断面図である。凸部２６は、挟持板部２１の一部をパンチ加工等により押圧して板厚方向に一側に（液晶パネル１の側に）突設させてなり、円柱状を有している。このように凸部２６を形成することにより、前述した効果が得られる。また、円柱状の凸部２６を設けているから、液晶パネル１の面方向の何れの方向に対しても滑りにくく、大きな接触圧力を作用させることができる。
【００４０】
図８は、凸部の他の例を示す図である。図８（ａ）はベゼル２の凸部２７近傍の模式的外観図であり、図８（ｂ）は、図８（ａ）のVIII−VIII線による模式的断面図である。凸部２７は、挟持板部２１の内縁端から外縁端に亘って、液晶パネル１の周縁に沿った方向の適長離隔した２箇所を切欠いて、切欠いた部分を絞り加工により板厚方向に一側に（液晶パネル１の側に）突設させてなる。このように凸部２７を形成することにより、前述した効果が得られる。また、切欠いて絞り加工をしてあるから、凸部２７を変形させるために必要となる力が小さくなり、加工が容易となる。
【００４１】
図９は、凸部の他の例を示す図である。図９（ａ）はベゼル２の凸部２８近傍の模式的外観図であり、図９（ｂ）は、図９（ａ）のIX−IX線による模式的断面図である。凸部２８は、挟持板部２１の内縁端から外縁端に亘って、液晶パネル１の周縁に沿った方向の適長離隔した２箇所を切欠いて、切欠いた部分を一側に（液晶パネル１の側に）折り曲げてなる。このように凸部２８を形成することにより、前述した効果が得られる。また、切欠いた後に折り曲げているから、凸部２８を変形させるために必要となる力が小さくなり、加工が容易となる。
【００４２】
以上のように、第１保持体又は第２保持体に凸部を絞り加工等の塑性加工により形成しているから、部品点数を増加することなく、容易な加工にて凸部を設けることができる。
【００４３】
なお、以上の実施の形態においては、複数のネジ間に凸部を設けているが、これに限定されず、複数のネジ間に加えてネジの周り（ネジが設けられた液晶パネル１の周縁位置と同一の周縁位置を含む）に凸部を設けても、ネジの近傍のみであってもよい。複数のネジ間に加えて、ネジの周りに凸部２４を設けた場合、液晶パネル１の周縁部のネジ近傍及びネジ間において大きな接触圧力を作用させることができるから、第１保持体及び第２保持体による液晶パネル１の保持力を更に大きくすると共に、液晶パネル１に周縁部にバランス良く作用させることができ、液晶パネル１を保持する保持体に対する表示パネルの面方向の位置ずれを更に防止することができる。ネジの周りのみに凸部を設けた場合においても、ネジの締付力によって得られるネジ近傍の接触圧力に加えて、ネジ近傍の液晶パネル１の周縁部に作用する接触圧力を更に大きくすることができる。この結果、ネジの近傍における第１保持体及び第２保持体による液晶パネル１の保持力を更に大きくして、液晶パネル１を保持する第１保持体及び第２保持体に対する液晶パネル１の面方向の位置ずれを防止することができる。
【００４４】
なお、以上の実施の形態においては、ベゼル２の挟持板部２１の内縁側後面に、略全周に亘って、液晶パネル１の周縁部を弾性的に受止める弾性体１５が設けてあり、凸部が弾性体１５を介して液晶パネル１を押圧するように構成してあるが、弾性体１５はなくてもよい。この場合において、密着性の高い樹脂シートが弾性体１５に代えて設けてある方が好ましいが、必須ではない。
【００４５】
また、以上の実施の形態においては、ベゼル２を金属製としているが、これに限定されず、樹脂成形品としてもよい。樹脂成形品とした場合、凸部の形状を自在に形成することができる。なお、この場合、ベゼルにメッキ又は銅箔を施すことが好ましい。これにより、前述したようにプリント回路基板を、ベゼルを介して接地することができる。
【００４６】
また、以上の実施の形態においては、ベゼル２に凸部を設けているが、これに限定されず、液晶パネル１を保持する部材に凸部が設けてあればよい。例えば、パネル支持フレーム３及び／又はランプホルダ４であってもよい。また、本実施の形態においては、ランプホルダ４をバックライトシャーシ５２と別体に構成してあるが、ランプホルダとバックライトシャーシとを一体的に設けるように構成してもよく、この場合、バックライトシャーシに凸部を設ければよい。
【００４７】
更に、以上の実施の形態において、表示装置として液晶テレビを例に説明したが、これに限定されず、液晶テレビ以外の液晶表示装置、プラズマ表示装置、ＥＬ表示装置等の表示装置にも適用可能であり、その他、特許請求の範囲に記載した事項の範囲内において種々変更した形態にて実施することが可能であることは言うまでもない。
【符号の説明】
【００４８】
１  液晶パネル（表示パネル）
２  ベゼル（第１保持体）
３  パネル支持フレーム（第２保持体）
４  ランプホルダ（第２保持体）
１５，１６  弾性体（可撓性部材）
２４，２５，２６，２７，２８  凸部
Ｓ１  ネジ（締付部材）
【図１】
2011013506.tif 000003
【図２】
2011013506.tif 000004
【図３】
2011013506.tif 000005
【図４】
2011013506.tif 000006
【図５】
2011013506.tif 000007
【図６】
2011013506.tif 000008
【図７】
2011013506.tif 000009
【図８】
2011013506.tif 000010
【図９】
2011013506.tif 000011